(57)【要約】      （修正有）【課題】従来の人工授精器具は、精液を無駄にし、授精の成功率や受胎数の低下、汚物を子宮に持ち込む危険性、コストの問題がある。改良された人工授精器具であっても、カバーフィルムが破れる、精液が無駄になる、操作が不安定である、精液が漏れる、子宮を傷つけるといった問題が生じ、欠点を改善していない。上記欠点を改善するのが本考案の課題である。【解決手段】カテーテル１０の子管の前後にそれぞれ設置された自由に移動するチューブ８１及び固定ストッパー８２からなる。このチューブの精液が子管に押し出される瞬間に子管先端が前に伸びることにより、カテーテルのノズルが内側に伸びて、動物の第一子宮頚環状部分の位置に達した時、その子管が簡単に適度な深さに伸び、自然にその受精用の精液が押し出される力及びチューブが子宮頚部に沿って前に伸びる。また、固定ストッパーは子管の内側に伸びる距離を設定できる。【選択図】図１５
0003118215.tif 000002
【実用新案登録請求の範囲】
【請求項１】
カテーテル、ノズル、子管、第二ノズル、接続コネクターからなり、ノズルが、カテーテルの先端にあって、子管がカテーテル内に移動する形で設置されて、第二ノズルが子管の先端に設置され、接続コネクターが子管後端に取り付けられて、精液収納容器（バッグあるいは注射器）の挿入管が挿入されるようになっていて、
固定ストッパーが子管先端後端に設置され、子管に内側に押し出される時、第二ノズルの設定距離がノズルの外に露出する時の設定の長さとカテーテル後端の距離であり、
チューブが子管の内穴より小さく作られていて、後端が第二ノズルの位置に設置されていて、開いた先端が反対方向に子管の内穴に内側に伸びていて、
上述の構造を利用して、子管後端が内側に押し出される時、その上にある固定ストッパーが設定した長さまで移動して、カテーテルの後端で止め、第二ノズルが子管によって内側に押し出される距離の基準となって、ノズルを動物の子宮の位置まで伸ばし、精液が子管後端に押し出される時、チューブが第二ノズルの導入口から徐々に伸展し、子宮頚部に沿って前に伸展して子宮あるいは子宮に隣接する位置まで到達することにより、受精用精液を完全に子宮に送るという特長を持つ、子管のある動物用人工授精器具の改良構造。
【請求項２】
子管後端に固定された固定ストッパーがはさむ形、引っ掛ける形あるいははめ込む形のいずれでも可能であるという、請求項１に記載の子管のある動物用人工授精器具の改良構造。
【請求項３】
第二ノズルが適度な弾力性及び硬度を持つゴム製の材質でできている第一カバー及び第二カバーを持ち、第一カバーの一端が子管先端に固定されていて、もう一方の端がやや径の小さいはめ込み部分があって、チューブ後端が反対方向に包むようになっていて、中心には貫通した第二ノズル導入口があって、第二ノズルには第一カバーのはめ込み部分にちょうど対応するキャップ部分があって、はまり込んでチューブの後端をしっかりと固定し、中心には貫通した導入口がある、請求項１に記載の子管のある動物用人工授精器具の改良構造。
【請求項４】
チューブが第二ノズルが子管先端に設置された後、第二ノズルの導入口の位置にあるチューブ後端にあり、内側から外に向かって折り返された導入部分があることにより、収納空間を形成して子管内穴に通じるという特長を持つ、請求項１に記載の子管のある動物用人工授精器具の改良構造。
【請求項５】
第二ノズルの第一カバーのはめ込み部分の外端にフィレット角があって、第二カバーのキャップ部分の内端に外に広がった槽部分があって、第一カバーのはめ込み部分と第二カバーのキャップ部分がかみ合った時、そのフィレット角と槽部分が接触しない状態で対応するという特長を持つ、請求項１に記載の子管のある動物用人工授精器具の改良構造。
【考案の詳細な説明】
【技術分野】
【０００１】
本考案は子管のある動物用人工授精器具の改良構造に関する。本考案の子管のある動物用人工授精器具の改良構造は、構造がシンプルで、簡単に使用でき、便利であるという特長がある。動物の精液がすばやくスムーズに子宮あるいは子宮と輸卵管の接続部分まで到達し、人工授精の成功率を大幅に高めることが可能である。また、受精に使用する精液が微量ですむため、精液を無駄にすることがなく経済性も高い。その上、使用の際の安全性も高く、衛生的且つ動物にやさしい設計になっている。
【背景技術】
【０００２】
従来の動物用の人工授精器具及び方法は、おおむね以下の通りである。図１、図２を参照いただきたい。これは、ある程度の硬度を持つプラスチック製のカテーテル１０及びカテーテル１０先端に設けられた外側に突起した柔らかい材質のノズル２０からなる。人工授精を実施する際の順序は、このカテーテル１０及びノズル２０を動物の母体１の膣１１に沿って挿入し、先端のノズル２０を子宮頚部１２の位置にまで達するようにする。
【０００３】
次に、動物の精液を入れた容器（バッグあるいは注射器）３０の挿入管３１をカテーテル１０の末端に挿入し、人の手によって精液を入れた容器（バッグあるいは注射器）３０を押し続けて、中の精液をカテーテル１０を通じて、ノズル２０から子宮頚部１２に注入する。そして、子宮１３が収縮し、子宮頚部１２に精液が注入される。
【０００４】
この方式の人工授精器具及び方法は、動物に対して人工授精を実施する際に効果はあるものの、以下のような欠点が見られる。
１．カテーテル１０が動物の母体１１内に挿入された後、その先端のノズル２０は、ほぼ子宮頚部１２の第一子宮頚環状部分１２１の位置にまで達する。しかしながら、第一子宮頚環状部分１２１と子宮１３の間はまだ距離があって、子宮１３が収縮して子宮頚部１２に精液が注入されるものの、ノズル２０から大量の精液が射出されて、先に第一子宮頚環状部分１２１の位置に溜まり、瞬時には子宮１３に注入されない。この時、最も発生しやすいのが、第一子宮頚環状部分１２１に溜まった精液が逆流して、生殖器１１１から流れ出てしまうケースである。これでは、精液が無駄になるだけでなく、子宮１３に注入される精液が減少して、人工授精の成功率が低くなってしまう。
２．精液が逆流しやすいという現象は、通常業者が使用する精液が大量に希釈（一般的には５ｃｃを５０〜１２０ｃｃに希釈）されていることや、カテーテル１０の内径が大きく、多量の受精用の精液が提供、収納されることに起因する。しかしながら、大量に希釈された精液は明らかに受精の成功率、あるいは、受胎数の低下につながると同時に、大量の精液を使用することは精液の無駄になり、経済的にも問題がある。
３．カテーテル１０の精液は、直接ノズル２０から注入される。このノズル２０は動物の母体１の外側から子宮頚部１２に伸びる時、体外や膣１１内の汚物を一緒に持ち込む可能性がある。このため、人工授精の過程において、動物の膣や子宮頚部が細菌感染したり、炎症を起こしたりする危険性があると共に、子宮内の受精卵の健康にも影響することが考えられる。
４．人工授精の成功率及び安全性を高めるために、通常は専門の担当者（獣医や専門技術者）に依頼してこれを実施する。しかしながら、飼育している家畜が多い場合、このコストは大きな負担となる。
５．作業者がカテーテル１０及びノズル２０を動物の母体の膣１１、及び、子宮頚部１２内に挿入する時、片手でカテーテル１０の末端を握り、もう片方の手は精液の入った容器３０を持って押す必要がある。これは、明らかに、操作しにくく、不便である。時間と手間がかかり、けっして理想的だとは言えない。
【０００５】
当然、このような人工授精のステップを効率よくし、もっと動物にやさしい方法に改善するため、業者は従来の人工授精器具に補助装置を追加して使用している。図３を参照いただきたい。これは動物の前足に似せた弾力性のあるAIベルト（AI  Buddy）４０を取り付けている。そして、カテーテル１０の末端に後部が開いた接続コネクター５０が取り付けてある。そして、AIバンド４０と接続コネクター５０の間には固定ベルト４１がある。
【０００６】
人工受精を実施する際には、作業者がAIバンド４０を動物の母体１の背中にはさむ。発情しているメスはオスの前足と錯覚する。次に、動物の母体１の生殖器１１１の位置にカバー６０を置き、カテーテル１０とノズル２０がカバー６０を経て膣１１及び子宮頚部１２まで達したら、カテーテルの末端が上に曲がっているのと、直接AIバンド４０の固定ベルト４１に固定していることにより、精液収納容器３０の挿入管３１を接続コネクター５０に挿入して固定すると、作業者は精液収納容器３０を押すだけでよい。
【０００７】
この方法は、前述のような従来の人工授精器具が両手で同時にカテーテルと精液収納容器を握って、押すといった面倒さ、不便さ、手間、時間のロス等の問題を改善している。
【０００８】
しかしながら、その他の、精液が逆流することによる精液の無駄や受精の成功率の低さといった問題、また、動物の母体が対外の汚物が膣、子宮頚部、子宮に流れ込んで、母体や受精卵の健康に影響を及ぼすといった問題、さらに、専門の作業員に依頼する経済的な負担や希望する時間に作業者が調達できない等の問題は依然として存在する。
【０００９】
また、人工授精の成功率を高めるために、当業者は図４、図５に示したような人工授精器具（U.S.Patent No.6526917）を提供した。この人工授精器具は、カテーテル４２０の先端のカテーテルの開口部４２１にカバーフィルム４１０が挿入されている。そして、カバーフィルム４１０の縁４１２が反対方向にカテーテル４２０の固定環状部分４２２に固定されている。
【００１０】
次に、ノズル４０をカテーテル４２０の先端に挿入すると、カバーフィルム４１０が固定される。ノズル４４０がカテーテル４２０の先端に挿入されると、中間のカバーフィルム４１０を隔てて、二者がしっかりと結合するという効果がある。これらは、超音波や熱結合を利用してさらにしっかりと固定することが可能である。
【００１１】
このタイプの人工授精器具の目的は、精液がカテーテル４２０末端に押し出された時、そのカバーフィルム４１０の先端４１１がストッキングを脱ぐように外に向かって押し出され、動物の子宮頚部に沿って進入し、さらに、その先端４１１の開口部から精液が射出されて、受精の成功率を高くし、汚物を母体にもたらすことがなく、精液の逆流を防ぐことである。
【００１２】
確かに、このタイプの人工授精器具は、前述の構造に比べ、優れた点が多い。しかしながら、実施の際において、以下のような欠点が見られる。
１．カバーフィルム４１０が、カテーテル４２０の先端からカテーテルの開口部４２１に挿入されて、縁４１２によってノズル４４０が固定される。したがって、精液が押される力によって先端４１１を内から外に押し出す時、まずノズル４４０の通路の長さBを加えて（図４を参照いただきたい）、動物の子宮頚部に進入しなければならない。このため、カバーフィルム４１０がスムーズに動物の子宮に達するためには、カバーフィルム４１０は長くする必要がある。しかしながら、このカバーフィルムが長くなればなるほど、外に押し出してノズルを露出させるための圧力を大きくする必要がある。これは、操作上面倒である。特に、精液を入れた容器が袋状の場合、押し出す力はボトルや注射器には及ばず、実施上困難が生じる。
２．このカバーフィルム４１０の縁をカテーテル４２０の固定環状部分４２２に折り返して固定する時、このカバーフィルム４１０は一定の張力で引っ張られる状態で、カテーテル４２０の先端の周囲に固定される。そして、このノズル４４０もまた緊密な状態でカバーフィルム４１０の周囲に結合する。したがって、引っ張られた状態のカバーフィルム４１０はノズル４４０がはめ込まれる力で押されるとき、カテーテル４２０の先端の周囲で押し破られることが考えられる（図４に示すCの箇所）。さらに、精液がカテーテル４２０に押し出される時、破れた箇所は空気が漏れ、カバーフィルム４１０がスムーズ、且つ、すばやく押し出すことができず、人工授精の成功率が低くなり、失敗することが考えられる。
３．カバーフィルム４１０はカテーテル４２０の開口部４２１内に挿入される。挿入操作を容易にするため、カテーテル４２０の内径（中が空洞の空間４２４）はやや大きくなっている。しかしながら、やや大きい管の径は従来の実施例と同様、直接精液の使用量に反映して増加する。したがって、精液の節約には効果がない。
４．人工授精の過程において、動物が傷つくことのを防ぐため、通常、ノズルには柔らかい材質を使用している。しかしながら、人工授精の過程において、操作時の力の入れ具合や、実施中に動物が動き、ノズルの先端が押しつぶされて変形したり、曲がって通路が詰まったりすることがある。このため、カテーテル４２０の中に設置するカバーフィルム４１０は、人工授精を実施する際に、スムーズに押し出せない状況が発生しやすいと言える。
５．上述のように、カバーフィルム４１０の長さをやや長くし、やや大きな外径を直接カテーテル４２０に内に設置することにより、精液を押す力がノズル４４０から押し出されて動物の子宮頚部に進入する時、動物の子宮頚部自体がせまい湾曲した通り道であることから、自然と長く大きくなって、必然とそのせまい湾曲した子宮頚部で大きな抵抗となる上、スムーズに展開しないという欠点がある。特に、精液を押す力が小さい時、フィルム先端４１１がスムーズに子宮に到達せず、不安定で不確定であるという欠点がある。
【００１３】
また、図６、図７を参照いただきたい。もう一つの人口受精器具の構造は、従来のノズル２０のカテーテル１０内に、別に自由に移動する比較的長いプラスチック子管７０があり、その子管７０先端には、やや小さい第二ノズル８０が取り付けられて構成される。
【００１４】
このタイプの人工授精器具は、カテーテル１０及びノズル２０が、動物のメスの子宮頚部に進入して、ノズル２０の第一子宮頚環状部分に到達すると、作業者が、その位置でカテーテル１０内の子管７０を内側に伸ばす。そして、その子管７０及び第二ノズル８０が共にやや小さいことを利用して、スムーズに子宮頚部内に沿って、第二ノズル８０が子宮の位置まで来ると、精液収納容器（バッグあるいは注射器）３０の内側に入っている精液を直接子管７０後端を押す。その受精用の精液は第二ノズル８０からスムーズに子宮に進入して人工授精の作業が完了する。
【００１５】
この方法は、確かに、受精用の精液がスムーズに動物の子宮に到達する効果があることは否定できない。しかしながら、使用の過程で、やはり欠点があることがわかってきた。
【００１６】
子管７０が内側に伸びる際、係員は先端の第二ノズル８０が子宮の位置まで到達したかどうか見ることができない。ただ経験と勘だけで深さをコントロールするため、実施時に子管７０を内側に伸ばし過ぎて子宮を傷つける場合がある。当然、子宮を傷つけるのを防ぐため、作業者が子管７０の内側にの深さを短縮することで改善することは可能である。しかしながら、これでは子管７０を設置した目的が失われてしまうことになり、受精用の精液が外に漏れ出すという状況が発生する。また、人口受精を実施する際、動物が動いて、自由に移動する子管７０の位置がずれて動物の子宮を傷つける危険性もある。
【考案の開示】
【考案が解決しようとする課題】
【００１７】
本考案は、上記の従来技術の有する、精液が逆流することによる精液の無駄や受精の成功率の低さといった問題、動物の母体の汚物が膣、子宮頚部、子宮に流れ込んで母体や受精卵の健康に影響を及ぼすといった問題、作業手順や専門の作業員に依頼する経済的な負担、並びに、希望する時間に作業者が調達できない等の作業効率の問題、人口受精を実施する際に動物が動いて、動物の子宮を傷つける問題を解決することを課題としている。
【課題を解決するための手段】
【００１８】
請求項１に記載した考案は、カテーテル、ノズル、子管、第二ノズル、接続コネクターからなり、ノズルが、カテーテルの先端にあって、子管がカテーテル内に移動する形で設置されて、第二ノズルが子管の先端に設置され、接続コネクターが子管後端に取り付けられて、精液収納容器（バッグあるいは注射器）の挿入管が挿入されるようになっていて、
固定ストッパーが子管先端後端に設置され、子管に内側に押し出される時、第二ノズルの設定距離がノズルの外に露出する時の設定の長さとカテーテル後端の距離であり、
チューブが子管の内穴より小さく作られていて、後端が第二ノズルの位置に設置されていて、開いた先端が反対方向に子管の内穴に内側に伸びていて、
上述の構造を利用して、子管後端が内側に押し出される時、その上にある固定ストッパーが設定した長さまで移動して、カテーテルの後端で止め、第二ノズルが子管によって内側に押し出される距離の基準となって、ノズルを動物の子宮の位置まで伸ばし、精液が子管後端に押し出される時、チューブが第二ノズルの導入口から徐々に伸展し、子宮頚部に沿って前に伸展して子宮あるいは子宮に隣接する位置まで到達することにより、受精用精液を完全に子宮に送るという特長を持つ、子管のある動物用人工授精器具の改良構造である。
【００１９】
請求項２に記載した考案は、子管後端に固定された固定ストッパーがはさむ形、引っ掛ける形、あるいは、はめ込む形のいずれでも可能であるという、請求項１に記載の子管のある動物用人工授精器具の改良構造である。
【００２０】
請求項３に記載した考案は、第二ノズルが適度な弾力性及び硬度を持つゴム製の材質でできている第一カバー及び第二カバーを持ち、第一カバーの一端が子管先端に固定されていて、もう一方の端がやや径の小さいはめ込み部分があって、チューブ後端が反対方向に包むようになっていて、中心には貫通した第二ノズル導入口があって、第二ノズルには第一カバーのはめ込み部分にちょうど対応するキャップ部分があって、はまり込んでチューブの後端をしっかりと固定し、中心には貫通した導入口がある、請求項１に記載の子管のある動物用人工授精器具の改良構造である。
【００２１】
請求項４に記載した考案は、チューブが第二ノズルが子管先端に設置された後、第二ノズルの導入口の位置にあるチューブ後端にあり、内側から外に向かって折り返された導入部分があることにより、収納空間を形成して子管内穴に通じるという特長を持つ、請求項１に記載の子管のある動物用人工授精器具の改良構造である。
【００２２】
請求項５に記載した考案は、第二ノズルの第一カバーのはめ込み部分の外端にフィレット角があって、第二カバーのキャップ部分の内端に外に広がった槽部分があって、第一カバーのはめ込み部分と第二カバーのキャップ部分がかみ合った時、、そのフィレット角と槽部分が接触しない状態で対応するという特長を持つ、請求項１に記載の子管のある動物用人工授精器具の改良構造である。
【考案の効果】
【００２３】
本考案の子管のある動物用人工授精器具の改良構造は、子管の先端に、内側にチューブがあって、そのチューブが受精用の精液が子管に押し出される時、自動的に前と外に伸びて、カテーテル及びノズルが動物の子宮頚部内側に伸びて、ノズルが第一子宮頚環状部分に達すると、その子管が簡単に内側の適当な深さまで伸びて、自然にその受精用の精液が押し出される力及びチューブが子宮頚部に沿って前に伸びることによって、スムーズ且つスピーディーに、そして、確実に子宮を傷つけることなく子宮に送られる。したがって、人工授精の効率が高くなり、同時に、動物の母体の安全性も保てるという効果がある。
【００２４】
次に、本考案の子管のある動物用人工授精器具の改良構造は、子管の後端に固定ストッパーがあって、内側に伸びる距離を設定できるため、子管及び第二ノズルを動物の子宮頚部の内部で展開させる操作が、簡単で便利であり、同時にスピーディーであるため、高い効率が望めるという特長がある。同時に、内側に伸びる時の深さや位置が安定するので、動物の子宮を傷つけることなく、安全に作業が行えるという効果がある。
【００２５】
そして、本考案の子管のある動物用人工授精器具の改良構造は、その子管がカテーテルのノズルが第一子宮頚環状部分に達した時、簡単に子宮頚部の内側の適当な深さまで伸ばすことができるため、子管先端管内のチューブの長さが効果的に短縮できて、精液を押し出してチューブが前と外に展開する際に必要な圧力が少なくてすむ。したがって、人口受精の実施がより簡便になり、チューブが子宮頚部に進入展開する動作がスムーズになり、人口受精の効率が高くなるという効果がある。
【００２６】
さらに、本考案の子管のある動物用人工授精器具の改良構造は、その子管の長さが設定できるため、簡単に動物の子宮頚部の内側で展開させられる。そして、そのチューブもまた抵抗なくスムーズに子宮頚部で展開する。したがって、精液がスピーディーに、確実に子宮に送られ、人口受精の精液を大量に希釈する必要がなく、濃い精液を少量子管に押し出すだけでよい。ゆえに、精液の無駄がなく、経済的効果が高く、確実に妊娠する率及び受胎数を高めるという効果がある。
【００２７】
また、本考案の子管のある動物用人工授精器具の改良構造は、子管先端にある第二ノズルが適度な硬度と弾力性を持つ二つのゴムのカバーからなる。子宮から子宮頚部に進入する時、折れ曲がったり、変形したりすることがない。そして、取り付けられたチューブも破れることがない。したがって、チューブが前と外に展開する動作がよりスムーズで、確実に行われ、人工授精の効率を高めることが可能である。
【考案を実施するための最良の形態】
【００２８】
図８を参照いただきたい。本考案の子管のある動物用人工授精器具の改良構造は、人工授精器具のカテーテル１０の子管７０の前後に、それぞれチューブ８１及び固定ストッパー８２が自由に移動する形式で設置されて形成される。
【００２９】
さらに、図９、図１０、図１１、図１２、図１３を参照いただきたい。チューブ８１は第二ノズル８０によって子管７０の前端に取り付けられている。この第二ノズル８０は適度な硬度の及び弾力性を持つ第一カバー８０１、及び、第二カバー８０２からなる。この第一カバー８０１の一端は子管７０の先端に固定される。もう一方の端にはやや径が小さいはめ込み部分８０１１があって、このはめ込み部分８０１１の外端には第一カバーはめ込み部分のフィレット角Rがあり、中心には貫通した第二ノズル導入口Kがある。
【００３０】
チューブ８１の径は子管７０の内穴７０１より小さく、開口した先端８１１の反対方向に第一カバー８０１の第二ノズル導入口Kから挿入され、子管７０の内穴７０１に内側に伸びる。後端８１２は反対方向に第一カバー８０１のはめ込み部分８０１１を覆っている。
【００３１】
第二カバー８０２は、第一カバー８０１のはめ込み部分８０１１にちょうどはまり込んで合致するキャップ部分８０２１があり、キャップ部分８０２１の内端には、外に広がった槽部分Ｍがある。そして、中心には貫通した第二ノズル導入口Kがあって、キャップ部分８０２１が第一カバー８０１のはめ込み部分８０１１にはめ込まれると、チューブ８１の後端８１２にちょうど固定されるようになっている。
【００３２】
そして、内端の槽部分M及びはめ込み部分８０１１外端のはめ込み部分のフィレット角Rがちょうど互いに接触しない形で対応することにより（詳しくは図１３を参照いただきたい）、はめ込み部分のフィレット角Rを覆うチューブ８１後端が摩擦で破れることがない。
【００３３】
子管７０は、従来のようにあらかじめカテーテル１０及びノズル２０に貫通して取り付けた後、さらに、先端に第二ノズル８０及びチューブ８１が取り付けられる。あるいは、あらかじめ、先端に第二ノズル８０及びチューブ８１を取り付けた後、後端をノズル２０の箇所から内側に挿入してカテーテル１０に貫通させてもよい。そして、第二ノズル８０は子管７０先端に設置された後、外に露出する形でノズル２０先端にあってもよく、あるいは、隠す状態でノズル２０の中心穴２０１の内側にあってもよい。
【００３４】
第二ノズル８０及びチューブ８１が、子管７０先端に設置され、子管７０もまたカテーテル１０に貫通して、第二ノズル８０先端がノズル２０先端にそろうか（図８を参照いただきたい）、あるいは、第二ノズル８０後端がノズル２０先端にそろった後、カテーテル１０後端に外に露出して設定された長さPの子管７０に箇所には、直接固定ストッパー８２が固定される。
【００３５】
子管７０が前に移動する距離は、設定した長さPを基準とする。この固定ストッパー８２ははさむ形、引っ掛ける形あるいははめ込む形のいずれでも可能で、子管７０の上にしっかりと固定しさえすればよい（本考案は精液収納容器、バッグあるいは注射器３０の挿入管３１が挿入して設置された接続コネクター５０を実施例としている）。
【００３６】
さらに、図１２、図１３を参照いただきたい。チューブ８１は、第二ノズル８０を子管７０先端に設置した後、第二ノズル８０の第二ノズル導入口Kの位置にあるチューブ８１後端には、内側から外に向かって折り返した導入部分Wがあり、収納空間Tを形成して、直接子管７０の内穴７０１と相通ずるようになっている。そして、その導入部分Wはちょうど第二ノズル８０の第二カバー８０２の第二ノズル導入口Kの箇所に対応する。
【００３７】
導入部分Wの外側に折り曲げる際の実施方法はたくさんある。例えば、空気吸入ピストン９を使い、第二ノズル８０の位置で内側にチューブ８１後端まで伸ばす。次に、空気吸入ピストン９の先端の空気穴９１をチューブ８１内側の面に貼り付け、空気を抜いて、空気穴９１に対応するチューブ８１内側の面を吸い付ける。さらに、空気吸入ピストン９を抜くと、自然にそのチューブ８１の外に折り返した導入部分Wが形成される。外に折り返した導入部分W形成後、空気吸入ピストン９も空気を抜く動作を停止することにより、外に折り返した導入部分Wの成形が簡単且つ便利に完了する。
【００３８】
図１４、図１５、図１６を参照いただきたい。本考案を実施する場合は、従来の操作順序と同様に、ノズル２０とカテーテル１０をカバー６０を通して、動物の母体１の膣１１に挿入し、ノズル２０をほぼ子宮頚部１２の第一子宮頚環状部分１２１まで挿入する。
【００３９】
次に、子管７０を内側に押し、子管７０及び先端にある第二ノズル８０を直接ノズル２０の位置から子宮頚部１２まで伸ばす。子管７０が内側に押し出される時、その後端には固定ストッパー８２があることで、その固定ストッパー８２とカテーテル１０後端の間隔は設定した長さP（図８を参照いただきたい）となる。ゆえに、子管７０が内側に押される長さはその設定された長さPを基準とする。
【００４０】
そして、第二ノズル８０は、同じ距離の長さP’がノズル２０の外に露出し、従来のように直接子宮の内側に伸びて子宮を傷つけるといった状況が発生しない。
【００４１】
次に、子管７０が内側に押し出された後のカテーテル１０及び固定ストッパー８２は、従来のように、上に湾曲し、AIバンド４０に連結する固定ベルト４１の位置に固定されるか、上に湾曲せずに直接動物の母体１の生殖器１１１の外側に露出させることも可能である。そして、精液の容器（バッグあるいは注射器）３０の挿入管３１を子管７０後端あるいは接続コネクター５０（本案では接続コネクター５０の作用を固定ストッパー８２とする）に挿入して、直接受精用の精液を押し出せばよい。
【００４２】
チューブ８１は、先端が反対方向に子管７０の先端に先端挿入され、子管７０先端の第二ノズル８０が閉じたのと同じ状態になる。ゆえに、上述の精液が子管７０後端から内穴７０１に押し出される時、反対方向に挿入されたチューブ８１は必然的に圧力を受けて自動的に前に押し出される。特に、その第二ノズル８０の導入口Kの位置にあるチューブ８１後端には、外に折り返した導入部分Wがあって、さらに、収納空間Tがあり、子管内穴７０１と相通じている（図１２、図１３を参照いただきたい）。その子管内穴７０１に押し出された精液は、直接十分な力で収納空間Tの押し出されることから、自然と、その押されたチューブ８１全体が導入部分Wから徐々に外に向かって折り返されて、前に伸展し始める。そして、完全に伸展した後、直接精液を子宮に送り、人口受精の過程が完了する。
【００４３】
つまり、そのチューブ８１が子管内穴７０１より小さく且つ設定した長さがあることによって、その押し出された精液の圧力が第二ノズル８０の箇所から徐々に外に前に向かって伸びる時、ほとんど摩擦力を持たないことによって子宮頚部１２に沿ってスムーズに前進する。特に、伸展動作が完了した時、その開いた先端８１１はさらに直接子宮あるいは子宮に隣り合う位置おいて、確実に受精用の精液を迅速且つ完全に子宮に送り、効率の高い人工授精作業を完了させる。
【００４４】
チューブ８１は、子管内穴７１より小さく、柔軟性があり、設定した長さを持つことで、精液が子管７０に押し出される際、その先端８１１は開いた状態となる。しかしながら、この子管７０に押し出された精液は直接その開いた先端８１１から流出することはない。逆に、押されることで閉じ、チューブ８１全体が完全に外に伸展した後、初めて自動的に先端の開口部分８１１から射出される。また、チューブ８１は柔軟な性質であるため、子宮頚部１２に沿って前に伸展した時、スムーズに、迅速に行える効果がある外、子宮頚部１２や子宮を傷つけることがなく、安全に行えるという効果がある。
【００４５】
子管７０に設置されたチューブ８１には、外に折り返した導入部分Wがあることで、さらに、収納空間T を形成して子管７０と相通じることで、精液が子管７０に押し出される時、直接十分な力でその収納空間Tに押し出されて、同時にチューブ８１全体がスピーディー且つスムーズに徐々に外に伸展する。したがって、その子管７０に押し出される精液圧力は小さくですむという効果があるため、操作が便利で簡単である。
【００４６】
子管７０は元々小さな径を持つ、そして、チューブ８１は子管７０のうち穴７０１より小さい。そして、伸展後、精液は完全に且つスピーディーに子宮に送られる。したがって、人口受精を実施する際の精液は従来のように先に希釈する必要がない。濃いままで少量直接子管７０に押し出せばよいのである。このように、精液が節約できるという経済効果がある。さらに、同時に、妊娠の確率も高くなり受胎数も多くなるため、人工授精における微量受精の目的を果たせるわけである。
【００４７】
第二ノズル８０は元々ノズル２０より小さく、直接内側に向かって動物の子宮頚部１２伸びる。ゆえに、適度な硬度と弾力性があるゴム製の材質によってできているため、子宮頚部１２を傷つける危険性がない。特に、子管７０が内側に伸びる長さPには制限があり、子宮まで達して接触したり、傷つけたりすることがない。当然、適度な硬度と弾力性を持つことで、子管７０が内に伸びて、子宮頚部１２にまで移動する時、変形してチューブ８１が伸展するのを妨げたりすることもない。そして、チューブ８１が確実に受精用の精液をスムーズに動物の子宮まで送られ、効率の高い人工授精が完了できる。
【図面の簡単な説明】
【００４８】
【図１】従来の人工授精器具に精液収納容器を取り付けた状態を示した見取り図である。
【図２】図１の人工授精器具を使用して動物のメスに対して人工授権を実施する様子を示した図である。
【図３】従来の人工授精器具に接続コネクター及びAIバンドを取り付けて、動物のメスに対して人工授権を実施する様子を示した図である。
【図４Ａ】従来のアメリカの特許番号６５２６９１７号の人工授精器具のカテーテルを前後に展開した様子を示した図である。
【図４Ｂ】従来のアメリカの特許番号６５２６９１７号の人工授精器具のカテーテルを前後に展開した様子を示した図である。
【図５Ａ】図４A及び図４Bのカテーテルを組み立てる様子を示した図である。
【図５Ｂ】図４A及び図４Bのカテーテルを組み立てる様子を示した図である。
【図５Ｃ】図４A及び図４Bのカテーテルを組み立てる様子を示した図である。
【図５Ｄ】図４A及び図４Bのカテーテルを組み立てる様子を示した図である。
【図５Ｅ】図４A及び図４Bのカテーテルを組み立てる様子を示した図である。
【図５Ｆ】図４A及び図４Bのカテーテルを組み立てる様子を示した図である。
【図６】従来のもう一つ別の人工授精器具の子管及び第二ノズルが後方に収縮する状態を示した図である。
【図７】図６に示した人工授精器具の子管及び第二ノズルが前方に伸びた状態を示した図である。
【図８】本考案の人工授精器具の平面図である。
【図９】図８の分解構造図である。
【図１０】図９に示した第二ノズルの第一カバーを子管先端に結合させた状態を示した図である。
【図１１】図９に示した第二ノズル及びチューブを子管先端に結合させた状態を示した図である。
【図１２】本考案のチューブ後端に外に折り返した導入部分がある状態を示した図である。
【図１３】図１２の部分拡大図である。
【図１４】本考案の人工授精器具を使用して動物のメスに対して人工授精を実施する様子を示した図である。
【図１５】本考案の人工授精器具のチューブ及び第二ノズルが外に伸びる作用を示した図である。
【図１６】本考案の人工授精器具のチューブが外側に展開した状態を示した図である。
【符号の説明】
【００４９】
１          動物の母体
１１        膣
１１１      生殖器
１２        子宮頚部
１２１      第一子宮頚環状部分
１３        子管
１０        カテーテル
２０        ノズル
２０１      中心穴
３０        精液収納容器（バッグあるいは注射器）
３１        挿入管
４０        AIバンド
４１        固定ベルト
４１０      カバーフィルム
４１１      フィルム先端
４１２      縁
４２０      カテーテル
４２１      カテーテルの開口部
４２２      固定環状部分
４４０      ノズル
５０        接続コネクター
６０        カバー
７０        子管
７０１      内穴
８０        第二ノズル
８０１      第一カバー
８０１１    はめ込み部分
８０２      第二カバー
８０２１    キャップ部分
８１        チューブ
８１１      チューブ先端
８１２      チューブ後端
８２        固定ストッパー
９          空気吸入ピストン
９１        空気穴
B          通路の長さ
C          破れた箇所
K          第二ノズル導入口
P          固定ストッパーと導管後端に設定した長さ
W        外に折り返した導入部分
T        収納空間
R        第一カバーはめ込み部分のフィレット角
M        第二カバーはめ込み部分の槽部分
【図１】
0003118215.tif 000003
【図２】
0003118215.tif 000004
【図３】
0003118215.tif 000005
【図４Ａ】
0003118215.tif 000006
【図４Ｂ】
0003118215.tif 000007
【図５Ａ】
0003118215.tif 000008
【図５Ｂ】
0003118215.tif 000009
【図５Ｃ】
0003118215.tif 000010
【図５Ｄ】
0003118215.tif 000011
【図５Ｅ】
0003118215.tif 000012
【図５Ｆ】
0003118215.tif 000013
【図６】
0003118215.tif 000014
【図７】
0003118215.tif 000015
【図８】
0003118215.tif 000016
【図９】
0003118215.tif 000017
【図１０】
0003118215.tif 000018
【図１１】
0003118215.tif 000019
【図１２】
0003118215.tif 000020
【図１３】
0003118215.tif 000021
【図１４】
0003118215.tif 000022
【図１５】
0003118215.tif 000023
【図１６】
0003118215.tif 000024